(57)【特許請求の範囲】
【請求項１】
目の周りを覆った状態で前記目の周りの少なくとも一部にマッサージを行うマッサージ装置であって、
使用者の前記目に入る光の量が異なる少なくとも２つの状態を切り換える構造として、少なくとも一定の範囲で光を通過させて前記使用者の視界を確保する可視モードと、遮蔽部に複数の小さな孔が設けられることにより前記目に入る光を前記可視モードよりも細くするピンホールモードと、前記目に入る光を遮る遮光モードとを切り換える構造を有し、
前記目の周りを覆うように湾曲したベース部と、前記ベース部に筒状に設けられる左右一対の視界確保部と、前記視界確保部に対して移動可能な視界切り換え部とを有し、
前記視界切り換え部は、前記視界切り換え部の一部が前記視界確保部の突出方向に対して交差する方向に挿入された状態で保持され、
前記視界切り換え部は、前記視界確保部の内側を覆って光を遮る遮光部と、前記複数の小さな孔が設けられたピンホール部とを少なくとも有する
ことを特徴とするマッサージ装置。
【請求項２】
前記視界切り換え部は、前記視界確保部に対して挿入及び取り出しが可能な少なくとも１つの切り換えカードにより形成される
請求項１記載のマッサージ装置。
【請求項３】
前記切り換えカードを収容するカード収容部が設けられ、
前記カード収容部は、前記切り換えカードを、前記切り換えカードの一部が前記視界確保部に交差した状態で保持する構造を有し、
前記切り換えカードが挿入されない未挿入状態と、前記切り換えカードの前記ピンホール部が前記視界確保部に交差した状態で保持される第１挿入状態と、前記切り換えカードの前記遮光部が前記視界確保部に交差した状態で保持される第２挿入状態とを切り換えることにより、前記可視モード、前記ピンホールモード、及び前記遮光モードの１つが選択される
請求項２記載のマッサージ装置。
【発明の詳細な説明】
【技術分野】
【０００１】
本発明は、目の周りにマッサージを行うマッサージ装置に関する。
【背景技術】
【０００２】
目の周りを覆った状態で目の周りのツボに振動を与えることによりマッサージを行うマッサージ装置（マッサージ器）が、特開２００１−５０３号公報（特許文献１）に記載されている。この特許文献１のマッサージ装置は、使用者がマッサージ装置を装着したときに外部を見ることができるように、目を覆う部分に多数の小孔が形成されている。
【０００３】
また、例えば実用新案登録第３０３７５３９号公報（特許文献２）には、鼻を除く顔面を覆った状態で空気袋に加圧空気を送ることによって顔面を圧迫するとともに、機械的な振動を顔面に加えることによってマッサージを行う装置が記載されている。この特許文献２の装置は、使用者が装置を装着したときに使用者の目を完全に覆うように形成されている。
【先行技術文献】
【特許文献】
【０００４】
【特許文献１】特開２００１−５０３号公報
【特許文献２】実用新案登録第３０３７５３９号公報
【発明の概要】
【発明が解決しようとする課題】
【０００５】
特許文献１に記載されているマッサージ装置では、上述したように目を覆う部分に多数の小孔が形成されており、使用者は、装置の装着時に多数の小孔を通して使用者の周りを見ることができる。しかし、使用時の状況や使用者の気分によっては、マッサージ中に、使用者の周りの状況をよりクリアに視認したい場合や、視界を暗くしてよりリラックスしたい場合等がある。
【０００６】
また、特許文献２に記載されている装置では、使用者が装置を装着したときに目が完全に覆われてしまうため、使用者は、装置を装着した状態で周りの状況を確認することができなかった。
【０００７】
本発明は上記従来の課題に鑑みてなされたものであって、本発明の目的は、周りの状況を確認できる状態又は視界を暗くした状態等の装着時の視界を使用者が選択可能なマッサージ装置を提供することにある。
【課題を解決するための手段】
【０００８】
上記目的を達成するために、本発明により提供されるマッサージ装置は、目の周りを覆った状態で前記目の周りの少なくとも一部にマッサージを行うマッサージ装置であって、使用者の前記目に入る光の量が異なる少なくとも２つの状態を切り換える構造として、少なくとも一定の範囲で光を通過させて前記使用者の視界を確保する可視モードと、遮蔽部に複数の小さな孔が設けられることにより前記目に入る光を前記可視モードよりも細くするピンホールモードと、前記目に入る光を遮る遮光モードとを切り換える構造を有し、前記目の周りを覆うように湾曲したベース部と、前記ベース部に筒状に設けられる左右一対の視界確保部と、前記視界確保部に対して移動可能な視界切り換え部とを有し、前記視界切り換え部は、前記視界切り換え部の一部が前記視界確保部の突出方向に対して交差する方向に挿入された状態で保持され、前記視界切り換え部は、前記視界確保部の内側を覆って光を遮る遮光部と、前記複数の小さな孔が設けられたピンホール部とを少なくとも有することを特徴とするマッサージ装置である。
【００１１】
この場合、前記視界切り換え部は、前記視界確保部に対して挿入及び取り出しが可能な少なくとも１つの切り換えカードにより形成されることが好ましい。
【００１２】
更にこの場合、前記切り換えカードを収容するカード収容部が設けられ、前記カード収容部は、前記切り換えカードを、前記切り換えカードの一部が前記視界確保部に交差した状態で保持する構造を有し、前記切り換えカードが挿入されない未挿入状態と、前記切り換えカードの前記ピンホール部が前記視界確保部に交差した状態で保持される第１挿入状態と、前記切り換えカードの前記遮光部が前記視界確保部に交差した状態で保持される第２挿入状態とを切り換えることにより、前記可視モード、前記ピンホールモード、及び前記遮光モードの１つが選択されることが好ましい。
【発明の効果】
【００１３】
本発明のマッサージ装置によれば、周りの状況を確認できる状態又は視界を暗くした状態等の装着時の視界を使用者が容易に選択することができる。
【図面の簡単な説明】
【００１４】
【図１】本発明の実施形態に係るマッサージ装置を斜め上側から見た斜視図である。
【図２】図１に示したマッサージ装置の正面図である。
【図３】図１に示したマッサージ装置のマッサージ本体を斜め下側から見た斜視図である。
【図４】マッサージ本体の一部の部材を省略してマッサージ本体の内部構造を示す図である。
【図５】マッサージ装置における視界確保部と切り換えカードとの位置関係を示す図である。
【図６】切り換えカードの正面図である。
【発明を実施するための形態】
【００１５】
以下、本発明の好適な実施の形態について、図面を参照しながら詳細に説明する。
図１は、本実施形態に係るマッサージ装置を斜め上側から見た斜視図である。図２は、マッサージ装置を前側から見た正面図であり、図３は、マッサージ装置を斜め下側から見た斜視図である。図４は、マッサージ装置の内部構造を示す図である。この図４では、マッサージ装置の内部構造を判り易く示すために、マッサージ装置の後述するカバー部が取り外されているとともに、後述する右側のサイド装飾部の図示が省略されている。
【００１６】
以下の説明において、マッサージ装置についての前後方向、左右方向、及び上下方向は、それぞれ、マッサージ装置を適切に装着した使用者を基準に、使用者の前後方向、左右方向、及び上下方向を言う。例えば、マッサージ装置を装着した使用者の視線に沿った方向を前方とし、その反対側の方向を後方とする。
【００１７】
本実施形態のマッサージ装置１は、目の周りに振動及び圧力を加えることが可能なマッサージ本体１０と、マッサージ本体１０の左右側端部に接続されるベルト部４０とを有する。このマッサージ装置１は、マッサージ本体１０が目の周りを覆うように使用者の顔にマッサージ本体１０を押し当てるとともに、ベルト部４０を使用者の後頭部に回してベルト部４０で使用者の頭を押さえることによって、使用者に装着される。
【００１８】
ベルト部４０は、左右のベルト体４１と、左右のベルト体４１を連結及び分離させるバックル４２とを有する。また、左右のベルト体４１には、ベルト体４１の長さを調節するアジャスター４３がそれぞれ取り付けられている。なお本発明において、ベルト体の形態は特に限定されない。
【００１９】
マッサージ本体１０は、マッサージ本体１０を上側又は下側から見たときに、使用者の目の周りを適切に被覆できるように、左右方向の中央部分が最も前方に配されるような円弧状に湾曲した形態を有する。なお本発明において、円弧状に湾曲した形態には、円弧（円周の一部分）の形状に湾曲した形態が含まれるだけでなく、円弧に近い形状に湾曲した形態も含まれる。
【００２０】
マッサージ本体１０の下端部には、使用者の鼻がマッサージ本体１０に干渉しないように（又は、鼻とマッサージ本体１０の干渉を少なくするように）、幅方向の中央部に配されるともに上側に向けて窪んだ凹部（逃がし部）１１が設けられている。また、マッサージ本体１０は、マッサージ装置１をコンパクトに収納可能なように、幅方向の中央部で円弧状の内側に向けて折り畳める構造で形成されている。
【００２１】
本実施形態のマッサージ本体１０は、図１〜図４に示すように、目の周りを覆うように湾曲したベース部１２と、前後方向に沿って筒状に設けられる左右一対の視界確保部１５と、左右の視界確保部１５を覆うようにベース部１２の前面に取り付けられるカバー部１６と、カバー部１６の左右両側に設けられるサイド装飾部１７とを有する。
【００２２】
この場合、左右のサイド装飾部１７には、使用者の目の周りに振動を与えるための図示しない振動モータが収容されている。また、ベース部１２とカバー部１６の間には、使用者の目の周りに圧力を与えるための図示しないエアバッグが設けられている。
【００２３】
なお本発明において、使用者の目の周りにマッサージを行うための構造及び手段は特に限定されない。本発明のマッサージ装置は、使用者の目の周りに行うマッサージとして、例えば振動及び圧力の一方のみが目の周りに加えられるように形成されていてもよい。また、目の周りに行うマッサージとして、振動及び／若しくは圧力の機能に加えて、又は、振動及び／若しくは圧力の機能の代わりに、目の周りを温める機能、アロマの香りを拡げる機能、又は、音楽を流す機能等が備えられていてもよい。
【００２４】
ベース部１２は、円弧状に湾曲する薄板状のベース本体部１３と、ベース本体部１３の内周面に配されるとともに柔軟性を備えたパッド部１４とを少なくとも有する。ベース本体部１３及びパッド部１４は、使用者の目の位置に対応して設けられる左右一対の開口部を有する。左右の開口部は、左右の視界確保部１５にそれぞれ連通している。ベース本体部１３には、図示しない各種の部材及び部品が固定又は設置される。
【００２５】
カバー部１６は、透明若しくは半透明の合成樹脂又は透光性を備える合成樹脂により形成されているとともに、カバー部１６を外側から見たときに黒色を呈するように形成されている。また、カバー部１６は、カバー部１６の内側から外側を見ることができるものの、外側からはカバー部１６の内側が見え難くなるように形成されている。
【００２６】
なお本発明において、カバー部１６の材質及び色彩等は特に限定されるものでなく、例えばカバー部１６は、黒色以外の色を呈するように形成されていてもよく、又は無色に形成されていてもよい。また、カバー部１６は、外側からはカバー部１６の内側が見えるように形成されていてもよい。更に本発明では、カバー部１６を設けずに、例えば後述する切り換えカード２０が外部から容易に確認可能な形態でマッサージ本体が形成されていてもよい。
【００２７】
左右のサイド装飾部１７は、中央装飾部１７ａと、中央装飾部１７ａの上側に配される上装飾部１７ｂと、中央装飾部１７ａの下側に配される下装飾部１７ｃとをそれぞれ有する。右側のサイド装飾部１７における上装飾部１７ｂの上面部には、マッサージ装置１を操作するための複数の操作ボタン１８が設けられている。
【００２８】
本実施形態のマッサージ装置１は、マッサージ本体１０に挿し込むこと及びマッサージ本体１０から抜き出すことが可能な左右の切り換えカード２０と、切り換えカード２０を収容して保持する左右のカード収容部１９とを有する。
【００２９】
左右のカード収容部１９は、切り換えカード２０をパッド部１４よりも前側の位置で挿し抜き可能なように、ベース本体部１３に一体的に形成されている。カード収容部１９の下端面は、ベース本体部１３の下端面よりも上側（視界確保部１５に近い側）に配置されており、カード収容部１９の下端面とベース本体部１３の下端面の間には段差が設けられている。このため、カード収容部１９は、ベース本体部１３の下端面に対して小さく凹んだように設けられている。
【００３０】
なお本発明では、カード収容部１９の下端面とベース本体部１３の下端面とは、両者の間に段差を設けずに、同じ平面上に設けられていてもよい。この場合であっても、カード収容部１９は、切り換えカード２０がカード収容部１９の奥まで挿し込まれたときに、後述するように、切り換えカード２０の一部をカード収容部１９から下方に飛び出させるように形成されることが好ましい。
【００３１】
左右の切り換えカード２０は、それぞれ、左右の視界確保部１５に対して移動可能な視界切り換え部２として用いられる。具体的に説明すると、切り換えカード２０は、視界確保部１５に挿入可能で、且つ、視界確保部１５から取り出し可能に形成されている。切り換えカード２０は、その正面視において（図６を参照）、左右方向の寸法よりも上下方向の寸法が大きい略長方形の形状を有する。また、切り換えカード２０は、マッサージ本体１０の上述した湾曲状の形態に対応して、左右方向に対して前後に湾曲した形状を有する。
【００３２】
切り換えカード２０は、長手方向の中央部を境界にして、長手方向の一方側の半部（図６の上方側の上半部）に設けられるピンホール部２１と、長手方向の他方側の半部（図６の下方側の下半部）に設けられる遮光部２２とを有する。この場合、ピンホール部２１及び遮光部２２は、切り換えカード２０を上向き（図６の向き）又は下向き（図６の向きとは上下が反対の向き）でカード収容部１９に挿し込んだときに、切り換えカード２０の視界確保部１５内に挿入される領域に少なくとも設けられていればよい。
【００３３】
本実施形態の切り換えカード２０は、薄板状のカード本体部２３と、カード本体部２３のピンホール部２１に設けられる複数のピンホール（小さな孔）２４と、カード本体部２３の長手方向（上下方向）の両端部に設けられる凹溝部２５とを有する。カード本体部２３は、薄く形成されており、また、ピンホール２４及び凹溝部２５の形成部分を除いて一定の厚さで形成されている。
【００３４】
図６に示す切り換えカード２０において、切り換えカード２０の上半部に形成されるピンホール部２１は、カード本体部２３により形成される薄板状の遮蔽部２６と、遮蔽部２６に設けられる複数のピンホール２４とにより形成されている。
【００３５】
各ピンホール２４は、切り換えカード２０の正面視において（図６を参照）、円形（又は、円形に近い形状）に形成されており、また、カード本体部２３の前面から後面に貫通している。この場合、ピンホール２４の直径は、０．５ｍｍ以上２．０ｍｍ以下、好ましくは１．０ｍｍ以上１．５ｍｍ以下に設定されている。例えば本実施形態の場合、各ピンホール２４の直径は、１．２５ｍｍである。
【００３６】
複数のピンホール２４は、カード本体部２３に規則的に整列して配置されている。例えば本実施形態の場合、複数のピンホール２４は、上下方向及び左右方向でピンホール２４の位置が互い違いとなるような千鳥状の配置で設けられている。なお本発明において、ピンホールの大きさ及び配置は限定されるものではなく、例えばマッサージ装置１を装着した使用者が、切り換えカード２０のピンホール部２１を通して外側を見たときに、後述するように物を見えやすくする効果が期待できるようにピンホール部２１が形成されていればよい。
切り換えカード２０の遮光部２２には、ピンホール２４が設けられておらず、遮光部２２は、カード本体部２３のみによって形成されている。
【００３７】
切り換えカード２０の凹溝部２５は、切り換えカード２０の上端部と下端部とに左右方向に沿って設けられている。このような凹溝部２５の設置により、切り換えカード２０を、カード収容部１９から引き出して取り外すときに、切り換えカード２０の凹溝部２５に爪又は指が引っ掛かり易くなるため、切り換えカード２０の取り出しを比較的容易に行うことができる。
【００３８】
切り換えカード２０を収容するカード収容部１９は、下方に開口する挿し込み口と、挿し込み口から上側に向けて連続して形成される収容空間とを有する。このカード収容部１９は、切り換えカード２０がカード収容部１９の奥まで挿し込まれたときに、切り換えカード２０をマッサージ本体１０に対して所定の位置で保持する。
【００３９】
特に本実施形態のカード収容部１９では、切り換えカード２０がカード収容部１９の奥まで挿し込まれたときに、切り換えカード２０の一部がカード収容部１９から下方に飛び出した状態となる。この場合、切り換えカード２０のカード収容部１９から飛び出す部分には、上述した凹溝部２５が前方に露出して設けられている。
【００４０】
カード収容部１９の収容空間は、上下方向に沿って形成されており、また、前後方向に延びる筒状の視界確保部１５に対して横切るように交差している（具体的には、直交している）。このため、カード収容部１９に切り換えカード２０を挿入して収容することにより、例えば図５に示すように、切り換えカード２０は、切り換えカード２０の一部分が視界確保部１５に挿入された状態で保持される。
【００４１】
上述のような構造を有する本実施形態のマッサージ装置１は、図６に示す切り換えカード２０がマッサージ本体１０に組み合わせて用いられることにより、マッサージ装置１を装着した使用者の目に入る光の量が異なる３つのモード（３つの状態）を容易に切り換えることができる。言い換えると、本実施形態のマッサージ装置１は、３通り（３ｗａｙ）の使い方でマッサージを行うことが可能となる。
【００４２】
具体的に説明すると、先ず、１つ目の使い方としては、マッサージ装置１が、例えばマッサージ本体１０のカード収容部１９に図６の切り換えカード２０が挿入されていないカード未挿入状態で使用される場合である。この場合、マッサージ装置１では、左右の各視界確保部１５内に使用者の視界を遮るものが配されていないため、少なくとも左右の視界確保部１５の範囲で、カバー部１６を介して光を安定して取り込むことができる。これによって、使用者の視界が確保される可視モード（可視状態）でマッサージ装置１を使用できる。このような可視モードでマッサージ装置１を装着することによって、使用者はマッサージを受けながら、周りの状況を容易に視認できるため、マッサージ中も安心感を抱き易くなる。またこの場合、マッサージ中に映画や読書等を楽しむことも可能となる。
【００４３】
次に、２つ目の使い方としては、切り換えカード２０を、ピンホール部２１を上にした向き（図６に示した切り換えカード２０の向き）でマッサージ本体１０のカード収容部１９に挿入して収容することによって、マッサージ装置１を、前記可視モードから、目に入る光の量が可視モードよりも制限されるピンホールモード（ピンホール状態）に切り換えて使用できる。このピンホールモードの場合、左右の各視界確保部１５内に、切り換えカード２０のピンホール部２１が挿入されて保持されている。本実施形態では、このようにピンホール部２１が視界確保部１５に挿入された状態を「第１挿入状態」と規定する。
【００４４】
マッサージ装置１を前記第１挿入状態によるピンホールモードで使用する場合、左右の視界確保部１５を通って使用者の目に入る光が、切り換えカード２０のピンホール部２１によって前記可視モードよりも強制的に細く絞られるため、目に入る光の量が前記可視モードよりも低減する。このようなピンホールモードでは、細く絞られた光が目に入ることにより、目の水晶体で光を大きく屈折させなくても、網膜に焦点を合わせ易くすることが可能となる。このため、例えば視力が低い使用者が、ピンホールモードのマッサージ装置１を装着することにより、眼鏡を使用しなくても、切り換えカード２０に設けたピンホール部２１を介して物を見え易くする（よく見えるようにする）ことができる。
【００４５】
例えば従来のマッサージ装置の場合、そのマッサージ装置の一部を使用者の目の周りに接触させた状態で使用するため、使用者は眼鏡を外すことが求められていた。しかし、使用者によっては、眼鏡を外してしまうと周りがぼやけて見えなくなる又は見え難くなるため、不満を感じることがあった。これに対し、本実施形態のマッサージ装置１では、切り換えカード２０をカード収容部１９に挿入してピンホールモードを選択することにより、使用者は、眼鏡を外した状態でも、ピンホール２４の効果によって視力が補助されて周りが見え易くなるため、使用者に安心を与え易くすることができる。
【００４６】
最後に、３つ目の使い方として、切り換えカード２０を、遮光部２２を上にした向き（図６に示した切り換えカード２０の向きとは反対の向き）でマッサージ本体１０のカード収容部１９に挿入して収容することによって、マッサージ装置１を、使用者の目に入る光を遮る遮光モード（遮光状態）で使用できる。この遮光モードの場合、左右の各視界確保部１５内に、切り換えカード２０の遮光部２２が挿入されて保持されている。本実施形態では、このように遮光部２２が視界確保部１５に挿入された状態を「第２挿入状態」と規定する。
【００４７】
マッサージ装置１を前記第２挿入状態による遮光モードで使用する場合、切り換えカード２０によって、左右の視界確保部１５を介して使用者の目に入る光が完全に遮断されるため、視界を暗闇の状態にすることができる。
【００４８】
使用者の中には、マッサージ装置１で使用者の目の周りに振動及び／又は圧力を加える際に、上述したようにマッサージ装置１で視界を暗くすることによって、よりリラックスできる人もいる。このようにリラックスした状態で目の周りのマッサージ（ストレッチ）を受けることにより、目の疲れが効果的に癒され、また、心地よさを感じ易くすることができる。なお、その一方で、視界が暗くなることに不安を覚える人もいるため、その場合には、マッサージ装置１で可視モード又はピンホールモードを選択することによって、使用者は安心した気持ちでマッサージを受けることが可能となる。
【００４９】
以上のように、本実施形態のマッサージ装置１においては、切り換えカード２０の使い方により、使用者が、マッサージの開始時又は途中で、可視モード、ピンホールモード、及び遮光モードという視界が互いに異なる３つのモード（言い換えると、目に入る光の量が互いに異なる３つのモード）から、好適な１つのモードを選択して採用することができる。これにより、使用者は、自身の趣向やその時の要望等に応じた視界（環境）で目の周りをマッサージすることができる。このため、使用者は、マッサージの効果をより感じ易くなり、また、従来のマッサージ装置よりも高い満足感を得られ易くなる。
【００５０】
なお、本発明は、上述した実施形態に限定されるものではなく、本発明と実質的に同一な構成を有し、かつ、同様な作用効果を奏しさえすれば、多様な変更が可能である。例えば、上述した実施形態のマッサージ装置１では、可視モード、ピンホールモード、及び遮光モードの３つのモードから１つのモードが選択されるが、本発明では、マッサージ装置１で選択可能なモードの数（種類）は特に限定されず、目に入る光の量を異ならせる２種類のモードから１つのモードが選択されてもよく、また、目に入る光の量を異ならせる４種類以上のモードから１つのモードが選択されてもよい。
【００５１】
また、上述した実施形態では、使用者の視界を切り換える視界切り換え部２として、ピンホール部２１及び遮光部２２を有するとともに、マッサージ本体１０に対して下から挿入される切り換えカード２０が使用されている。しかし、本発明において、視界切り換え部の形態はこれに限定されるものではない。
【００５２】
例えば本発明において、マッサージ装置の視界切り換え部は、ピンホール部及び遮光部を有する切り換えカードが、マッサージ本体に対し、上述した実施形態のような下からではなく、上から又は左右方向から挿入される形態で形成されていてもよい。また本発明の視界切り換え部は、例えば、目に入る光の量を異ならせる複数の部分を備えた切り換えカードが、マッサージ本体の内部に、ダイヤル等の手段によって上下方向若しくは左右方向にスライドするように、又は、回転するように組み込まれることによって形成されていてもよい。
【００５３】
更に本発明において、例えば視界切り換え部は、可撓性を備えた１枚のフィルム部材が、目に入る光の量を異ならせる複数の部分（例えば、透明部、ピンホール部、及び遮光部など）を有するとともに、そのフィルム部材が、左右の視界確保部に対して上下方向又は左右方向にスライド可能に又は移動可能にマッサージ本体に内蔵されることによって形成されていてもよい。
【符号の説明】
【００５４】
１                マッサージ装置
２                視界切り換え部
１０                マッサージ本体
１１                凹部（逃がし部）
１２                ベース部
１３                ベース本体部
１４                パッド部
１５                視界確保部
１６                カバー部
１７                サイド装飾部
１７ａ              中央装飾部
１７ｂ              上装飾部
１７ｃ              下装飾部
１８                操作ボタン
１９                カード収容部
２０                切り換えカード
２１                ピンホール部
２２                遮光部
２３                カード本体部
２４                ピンホール（小さな孔）
２５                凹溝部
２６                遮蔽部
４０                ベルト部
４１                ベルト体
４２                バックル
４３                アジャスター
【要約】      （修正有）【課題】装着時の視界を使用者が選択可能なマッサージ装置を提供する。【解決手段】目の周りを覆った状態で前記目の周りの少なくとも一部にマッサージを行うマッサージ装置１であって、目の周りに振動及び圧力を加えることが可能なマッサージ本体１０と、マッサージ本体１０の左右側端部に接続されるベルト部４０とを有する。このマッサージ装置１は、マッサージ本体１０が目の周りを覆うように使用者の顔にマッサージ本体１０を押し当てるとともに、ベルト部４０を使用者の後頭部に回してベルト部４０で使用者の頭を押さえることによって、使用者に装着される。さらに、使用者の前記目に入る光の量が異なる少なくとも２つの状態を切り換える構造を有する。【選択図】図１【図１】
0006910689.tif 000002
【図２】
0006910689.tif 000003
【図３】
0006910689.tif 000004
【図４】
0006910689.tif 000005
【図５】
0006910689.tif 000006
【図６】
0006910689.tif 000007